【手続補正書】
【提出日】平成27年10月13日(2015.10.13)
【手続補正１】
【補正対象書類名】特許請求の範囲
【補正対象項目名】全文
【補正方法】変更
【補正の内容】
【特許請求の範囲】
【請求項１】
切断アセンブリであって、
ａ）第１の回転方向および第２の回転方向に交互に回転可能な駆動軸と、
ｂ）前記駆動軸に回転可能に固定されたロータリカッタであり、ボアの中心軸を通るボアを有する円形ハブと前記ボア内に前記駆動軸を固定するための手段とを備え、複数の切断ローブがあり、前記切断ローブのそれぞれは上面、前記上面に対向する下面、前縁部、および前記前縁部に対向する後縁部を有し、それぞれの切断ローブは、前記上面から前記下面へ貫通する開口を有し、前記切断ローブのそれぞれはそれぞれの切断ローブの前記前縁部と前記後縁部との間で等距離とされた中心線が前記ハブの前記中心軸に実質的に垂直になるように前記ハブから外向きに延在し、前記切断ローブはそれぞれの切断ローブの前記前縁部から次の隣接する切断ローブの前記後縁部までの距離のそれぞれが実質的に等しくなるように前記ハブの外周にそって配置され、それぞれの切断ローブの前記上面はその前縁部からその開口まで、またその開口からその後縁部まで延在する凸状屈曲部を有し、それぞれの切断ローブの前記下面は複数の溝、および隣接する溝の間に隔壁を有し、それぞれの切断ローブの前記溝および隔壁はその前縁部からその後縁部まで、またはその前縁部からその開口まで、およびその開口からその後縁部までのいずれかに延在し、前記溝のそれぞれは前記ハブの前記中心軸と同心である円の円弧の形状を有する、ロータリカッタと、
ｃ）静止渦巻き部の取り入れ開口部に取り付けるための、中心プレートボア、および複数の同心上の溝と隣接する溝間の隔壁とを有する表面を有する、円形プレートカッタであって、前記溝のそれぞれは前記ハブの前記中心軸と同心である円の円弧の形状を有し、前記駆動軸は前記プレートボア内に回転するように取り付けられ、前記プレートカッタはその表面を貫通する複数の穴を有し、それぞれの切断ローブの前記下面からの前記溝および隔壁は前記円形プレートカッタからの対応する隔壁および溝と並列する、円形プレートカッタとを備える切断アセンブリ。
【請求項２】
前記プレートカッタ内の前記複数の穴は、幾何学的、多角形、星形、湾曲したスロット、傾斜したスロット、放射状に配置構成されたスロット、またはこれらの組合せである形状を有する請求項１に記載の切断アセンブリ。
【請求項３】
シュレッダポンプであって、
ｉ）取り入れ開口部、および吐き出し開口部を有する静止渦巻き部と、
ｉｉ）前記取り入れ開口部の前に取り付けられた切断アセンブリであり、ａ）第１の回転方向および第２の回転方向に交互に回転可能な駆動軸と、ｂ）前記駆動軸に回転可能に固定されたロータリカッタであって、ボアの中心軸を通るボアを有する円形ハブと前記ボア内に前記駆動軸を固定するための手段とを備え、複数の切断ローブがあり、前記切断ローブのそれぞれは上面、前記上面に対向する下面、前縁部、および前記前縁部に対向する後縁部を有し、それぞれの切断ローブには、前記上面から前記下面へ貫通する開口を有し、前記切断ローブのそれぞれはそれぞれの切断ローブの前記前縁部と前記後縁部との間で等距離にされた中心線が前記ハブの前記中心軸に実質的に垂直になるように前記ハブから外向きに延在し、前記切断ローブはそれぞれの切断ローブの前記前縁部から次の隣接する切断ローブの前記後縁部までの距離のそれぞれが実質的に等しくなるように前記ハブの外周にそって配置され、それぞれの切断ローブの前記上面はその前縁部からその開口まで、またその開口からその後縁部まで延在する凸状屈曲部を有し、それぞれの切断ローブの前記下面は複数の溝、および隣接する溝の間に隔壁を有し、それぞれの切断ローブの前記溝および隔壁はその前縁部からその後縁部まで、またはその前縁部からその開口まで、およびその開口からその後縁部までのいずれかに延在し、前記溝のそれぞれは前記ハブの前記中心軸と同心である円の円弧の形状を有する、ロータリカッタと、
ｃ）前記静止渦巻き部の前記取り入れ開口部に取り付けられた、中心プレートボア、および複数の同心上の溝と隣接する溝間の隔壁とを有する表面を有する、円形プレートカッタであって、前記溝のそれぞれは前記ハブの前記中心軸と同心である円の円弧の形状を有し、前記駆動軸は前記プレートボア内に回転するように取り付けられ、前記プレートカッタはその表面を貫通する複数の穴を有し、それぞれの切断ローブの前記下面からの前記溝および隔壁は前記円形プレートカッタからの対応する隔壁および溝と並列し、前記駆動軸は軸受によって前記渦巻き部の壁を通して回転するように取り付けられ、メカニカルシールによって封止される、円形プレートカッタとを備える切断アセンブリと、
ｉｉｉ）前記駆動軸の周りに固定された渦巻き部内の羽根車と、
ｉｖ）前記渦巻き部の外側部分に取り付けられ、前記渦巻き部の中で前記駆動軸を回転させるために前記駆動軸に固定された電気モータとを備えるシュレッダポンプ。
【請求項４】
前記溝および隣接する溝間の隔壁のそれぞれは、略Ｖ字形の形状の断面を形成する請求項３に記載のシュレッダポンプ。
【請求項５】
液体中の固形物を裁断する方法であって、
Ｉ）ポンプとして、
ｉ）取り入れ開口部、および吐き出し開口部を有する静止渦巻き部と、
ｉｉ）前記取り入れ開口部の前に取り付けられた切断アセンブリであり、ａ）第１の回転方向および第２の回転方向に交互に回転可能な駆動軸と、ｂ）前記駆動軸に回転可能に固定されたロータリカッタであって、ボアの中心軸を通るボアを有する円形ハブと前記ボア内に前記駆動軸を固定するための手段とを備え、複数の切断ローブがあり、前記切断ローブのそれぞれは上面、前記上面に対向する下面、前縁部、および前記前縁部に対向する後縁部を有し、それぞれの切断ローブには、前記上面から前記下面へ貫通する開口を有し、前記切断ローブのそれぞれはそれぞれの切断ローブの前記前縁部と前記後縁部との間で等距離にされた中心線が前記ハブの前記中心軸に実質的に垂直になるように前記ハブから外向きに延在し、前記切断ローブはそれぞれの切断ローブの前記前縁部から次の隣接する切断ローブの前記後縁部までの距離のそれぞれが実質的に等しくなるように前記ハブの外周にそって配置され、それぞれの切断ローブの前記上面はその前縁部からその開口まで、またその開口からその後縁部まで延在する凸状屈曲部を有し、それぞれの切断ローブの前記下面は複数の溝、および隣接する溝の間に隔壁を有し、それぞれの切断ローブの前記溝および隔壁はその前縁部からその後縁部まで、またはその前縁部からその開口まで、およびその開口からその後縁部までのいずれかに延在し、前記溝のそれぞれは前記ハブの前記中心軸と同心である円の円弧の形状を有する、ロータリカッタと、
ｃ）静止渦巻き部の前記取り入れ開口部に取り付けられた、前記中心プレートボア、および複数の同心上の溝と隣接する溝間の隔壁とを有する表面を有する、プレートカッタであって、前記溝のそれぞれは前記ハブの前記中心軸と同心である円の円弧の形状を有し、前記駆動軸は前記プレートボア内に回転するように取り付けられ、前記プレートカッタはその表面を貫通する複数の穴を有し、それぞれの切断ローブの前記下面からの前記溝および隔壁は前記円形プレートカッタからの対応する隔壁および溝と並列し、前記駆動軸は軸受によって前記渦巻き部の壁を通して回転するように取り付けられ、メカニカルシールによって封止される、円形プレートカッタとを備える切断アセンブリと、
ｉｉｉ）前記駆動軸の周りに固定された前記渦巻き部内の羽根車と、
ｉｖ）前記渦巻き部の外側部分に取り付けられ、前記渦巻き部の中で前記駆動軸を回転させるために前記駆動軸に固定された電気モータとを備えるシュレッダポンプを装備することと、
ＩＩ）前記電気モータで前記駆動軸を少なくとも１つの回転方向に回転させることと、
ＩＩＩ）液体、および任意選択の固形物を、前記切断アセンブリに通し、前記渦巻き部の中に送り込み、次いで、前記羽根車で前記液体および前記任意選択の固形物を推進して前記吐き出し開口部に通すこととを含む方法。